(57)【要約】【課題】男性器が本来有する機能を十分に果たすとともにに、男性器代用器の装着面で着脱時間を大幅に短縮し、尚且つ男性器代用器の装着状態を長時間保持することが可能であり、更により広い幅の患者に対応する男性器代用器装着用パンツを提供する。【解決手段】本発明に係る男性器代用器装着用パンツ１は、先天的な疾患、或いは後天的な疾患により男性器を有さない患者の下腹部に、男性器代用物を接着剤を使用せずに簡単に装着することができるものであり、長手状の陰茎部３を有する装着用パンツ本体２に、該陰茎部３を挿通して設けられた排尿路１１と、該排尿路１１における陰茎部根元側の端部に接続して設けられ、患者の尿道口に当てがわれる尿受け１０と、を備えるものである。【選択図】図２
2017094019.tif 000002
【特許請求の範囲】
【請求項１】
先天的な疾患、或いは後天的な疾患により男性器を有さない患者を代表とする男性女性等を問わず全ての人類の下腹部に男性器代用器を装着することのできるパンツであって、前記パンツの着用により、男性器代用器を直接、前記患者の下腹部に有しているように見せることを特徴とする男性器代用器装着用パンツ。
【請求項２】
前記パンツ本体は、シリコンからなることを特徴とする請求項１に記載の男性器代用器装着用パンツ。
【請求項３】
前記パンツ本体は、パンツの股間に当たる部位に男性器代用器を挿通し固定するための穴を設けており、設けられた穴を挿通するようにして、男性器代用物となる陰茎部又は陰嚢部を、患者の下腹部へ固定することを可能とすることを特徴とする請求項１又は２に記載の男性器代用器装着用パンツ。
【請求項４】
前記パンツ本体は、パンツ本体に陰毛の役割となる人工毛が植毛されていることを特徴とする請求項１に記載乃至３のいずれかに記載の男性器代用器装着用パンツ。
【請求項５】
前記パンツ本体は、男性器の陰茎部をパンツ股間部に直接有しており、そのパンツを着用することで陰茎部を挿通して設けられた排尿路と、該排尿路における陰茎部根元側の端部に接続して設けられ、前記患者の尿道口に当てがわれる尿受けとを備えることを特徴とする請求項１乃至４のいずれかに記載の男性器代用器装着用パンツ。
【発明の詳細な説明】
【技術分野】
【０００１】本発明は、先天的な疾患により男性器を有さない患者、或いは後天的に男性器を失った患者、又は陰嚢部のみ有する患者が、男性器代用物を外観面、排尿機能の面で男性器を有している状態に極めて近い状態で、患者下腹部に男性器代用物を装着することのできる男性器代用器装着用パンツに関するものである。
【背景技術】
【０００２】性同一性障害及び半陰陽のような先天的疾患により男性器を有さない患者、或いは後天的に男性器を失った患者の多くは、本来自己が有するはずの性器の欠如による精神的苦痛を軽減し、より豊かな日常生活を送るための手段として、男性器を代用するものを手に入れることを強く望んでいる。これまでその手段として、外科的な手術によって患者の下腹部に男性器を形成する方法が挙げられる。しかし、このような外科的出術はまだまだ発展途上のものであるため、外観上自然な形のものを有するのは非常に困難であり、患者の身体には男性器を形成する際に身体の何れかの皮膚を必要とする為、手術後には１０ｃｍ×２０ｃｍ程の大きな傷跡が身体に一生残ることが必然となる。その傷を背負っていきていくことは患者の精神面でその後も大きな負担となると共に、前記手術には多額の費用がかかる為、金銭面でも非常に大きな負担となる。従って、男性器を模した外観を有する男性器代用器を患者の下腹部に装着する方法が広く用いられている。【０００３】また、上記の患者に対し、男性器の代用器を専用の接着剤を用いて身体に直接接着し、装着する方法、男性器代用物を毛髪の上から取り付けられる磁石内蔵専用サポーターを通し磁石が内蔵された男性器代用物を両者の磁力を使って下腹部に装着する方法も挙げられる。
【先行技術文献】
【特許文献】
【０００４】
【特許文献１】特開２０１０−１５８３３０
【発明の概要】
【発明が解決しようとする課題】
【０００５】これは次のような欠点があった。
従来の男性器代用器は、代用器本体、接着剤共に非常に高価であり、手に入れられる患者が限られていた。また装着に必要不可欠である接着剤が消耗品であるのにも関わらず非常に高価なため、本来患者の望む形である代用品を常用する場合、経済面での困難も生じる。尚且つ、接着剤を用いて接着するという方法では、接着時には接着前に行う下腹部の剃毛や接着剤の硬化の待ち時間が必須であり、尚且つ取り外す際には専用のリムーバーを用いて代用器本体や身体に付着した接着剤を除去することが必須であるため、男性器代用器を着脱する際に非常に多くの手間や時間を要するという問題があった。更には、接着剤による接着状態を維持出来うる時間が８〜１０時間程度と短く、いざ代用器を装着しても人間の一日の平均活動時間である１５時間は持続不可能であり、患者が起床直後に付けた場合大多数の患者は入浴の時間帯まで接着剤の接着力が持続せず、実際に入浴の際に使用するのには困難である。また、肌が弱く接着剤により皮膚炎等を起こしてしまう患者もいるため、装着が困難であるという問題があった。
そして、後者の男性器代用器を男性器代用器と専用サポーターの磁力を介し患者の下腹部へと装着する方法は、その装着の条件として、まず陰毛を有していることが必要不可欠であったため、体毛が極めて薄く、陰部に毛髪を有さない患者の下腹部への取り付ける際に困難が生じる。尚且つ、陰毛を有していてもその量が微量な患者が装着した際に、毛根一つ一つに対する負担がかかるため、着用時に痛みを毛根部に痛みを感じてしまうという問題点があった。【０００６】本発明は、このような問題に鑑みてなされたものであり、男性器代用器の着脱という点での手間を最小限にし、尚且つ男性器が本来有する排尿機能に加え、男性器代用器の装着状態を人間の一日の平均活動時間である１５〜１６時間保持するという役割を十分に果たすとともに、外観上も男性器本来の外観に非常に近い男性器代用器装着用パンツを提供する。
【課題を解決するための手段】
【０００７】上記目的を達成するために本発明に係る男性器代用器装着用パンツは、先天的疾患或いは後天的疾患により男性器を有さない患者の下腹部に装着される男性器代用器装着用パンツであり、長手状の陰茎部を有し、陰嚢部代用器を装着する為の穴を備え、前記陰茎部を挿通して設けられた排尿路と、該排尿路における陰茎部根元側の端部に接続して設けられ、前記尿道口に当てがわれる尿受けと、を備えるものである。【０００８】また、本発明に係る男性器代用器装着用パンツは人肌に酷似した医療用シリコンからなり、前記パンツを装着している事を周囲に気付かれることなく、男性器代用器を直接身体に接着されているように見せるものである。【０００９】また、本発明に係る男性器代用器装着用パンツは男性器代用器を挿通し固定する為の穴を備えるものである。【００１０】また、本発明に係る男性器代用器装着用パンツは、尿受部から排尿路への排尿物経路が逆三角錐型に形成されたものである。【００１１】また、本発明に係る男性器代用器装着用パンツは、前記パンツ本体に陰毛の代用毛となる人工毛を備えるものである。
【発明の効果】
【００１２】本発明に係る男性器代用器装着用パンツによれば、患者は男性器代用器を装着するために陰毛の有無を問わずして下腹部への装着固定を可能としている。従って、患者は男性器代用器を装着するにあたって本来必要であった下腹部の陰毛の剃毛をする手間や、下腹部に陰毛を有していなければならないといった男性器代用器の装着にあたる条件が不要となる。【００１３】また、本発明に係る男性器代用器装着用パンツによれば、患者の尿道口から排出された尿が、前記パンツ内部に設けられた尿受けから、排尿路を通って陰茎部の外部へと放出される。従って、患者は男性器代用器を装着したままでも排尿をすることができるため、トイレ使用時に男性器代用器を着脱する手間がない。【００１４】また、本発明に係る男性器代用器装着用パンツによれば、尿受けの周りに尿漏れ吸収パッドの着脱を可能としたため、前記パッドを装着することで排尿の際、患者は尿漏れにおける不安感や不快感を感じることがなく、且つ衛生的に安心して放尿することが可能となる。【００１５】また、本発明に係る男性器代用器装着用パンツによれば、尿受けの周りに男性器陰嚢部代用器の装着を可能とする穴を設けたことで、元来陰嚢部を有する者はその穴から自身の陰嚢を挿通して前記パンツ外部へ出すことが可能となる。また、陰嚢部を有さない患者は男性器陰嚢部代用器を尿受け部へ固定することが可能であり、前記パンツに設けられた穴から前記代用器を前記パンツ外部へ出すことが出来るため、元来の患者の男性器陰嚢部の有無に関わらず、患者の状況に合わせ、外観的により本来の男性器に近い状態を提供することが可能となる。【００１６】また、本発明に係る男性器代用器装着用パンツによれば、パンツを履くだけで男性器代用器の下腹部への装着固定が可能となるため、代用器取り付けの際の接着剤の硬化時間や代用器取り外しの際の手間が省かれる。【００１７】また、本発明に係る男性器代用器装着用パンツによれば、前記パンツ本体が人肌に酷似した色調と硬度の医療用シリコンからなるので、男性器の細部の形状を再現することができ、前記パンツの性器以外の部分においても患者の肌に馴染ませることができるため、前記パンツを着用するだけで男性器を本来有している外観に非常に近いものが得られる。【００１８】これまでの接着剤を用いて肌に男性器代用器を直接接着する方法と違い、装着に接着剤を用いないため、接着剤による肌のトラブルを防止し、肌の弱い患者でも装着することが可能となる。また、専用サポーターを介し磁力によって接着する方法と違い、装着に陰毛を要さないため、陰毛を有さない患者でも装着することが可能となる。【００１９】更に非常に高価な医療用の接着剤の購入も不要となるため、患者の経済的負担も大きく軽減することができる。
【図面の簡単な説明】
【００２０】
【図１】本発明の第１実施例に係る男性器代用器装着用パンツの構成を表面から示す概略斜視図。
【図２】本発明の第１実施例に係る男性器代用器装着用パンツの構成を示す概略縦断斜視図。
【図３】本発明の第２実施例に係る男性器代用器装着用パンツの構成を示す概略斜視図であって男性器陰嚢部代用器を装着した状態を示す図。
【図４】本発明の第２実施例に係る男性器代用器装着用パンツに、尿漏れ吸収パッド、男性器陰嚢部代用器の両者を装着した際の陰茎部内部の構成を示す概略縦断面図。
【図５】本発明の第２実施例に係る男性器陰嚢部代用器の構成を示す概略斜視図。
【図６】本発明の第２実施例に係る男性器代用器装着用パンツに装着する尿漏れ吸収パッドの装着時の状態を示す概略斜視図。
【図７】本発明の第１実施例に係る男性器代用器装着用パンツの構成を裏面から示す概略斜視図。
【図８】本発明の第２実施例に係る男性器代用器装着用パンツに装着する尿漏れ吸収パッドの構成を示す概略展開図。
【発明を実施するための形態】
【００２１】まず、本発明の第１実施例に係る男性器代用器装着用パンツについて説明する。
第１実施例に係る男性器代用器装着用パンツは、前記パンツを着用することで男性器代用器を装着することに加え排尿機能を有することを特徴とするものである。図１乃至３は、第１実施例に係る男性器代用器装着用パンツ１の構成を示す図であり、図１及び図３は概略斜視図であって、図２は図１における概略縦断面図である。男性器代用器装着用パンツ１は、男性器に模した外観を有する装着用パンツ本体２と、この装着用パンツ本体２に排尿機能を持たせるための排尿ユニット７と、排便機能を持たせるための排便用排出口２０と、を備えるものである。
【００２２】装着用パンツ本体２は、図２に示すように、医療用シリコンからなるものであって、長手状の陰茎部３と、繊維物質等を植え込んだ人口陰毛４と、後述する尿受け１０と、を有している。このように形成される装着用パンツ本体２は、ウエスト５から裾６へと左右の脚を通し、下着を着用するのと同じ原理で着用し、男性器代用物が患者下腹部へと固定される。尚、装着用パンツ本体２の内部は空洞になっているものの、陰茎部３の内部のみ医療用シリコンで埋められており、その外形及び大きさは、本実施例に限られず、患者の体型や思考に合わせて任意の形状とすることができる。また、装着用パンツ本体２の材質は医療用シリコンを用いることで、男性器を細部の形状まで忠実に再現することができるため、男性機本来の外観に非常に近い外観が得られるという利点がある。また、ここでいう本発明における医療用シリコンとは、耐熱、耐寒、撥水、電気絶縁性に優れ、美容整形、歯科、義肢、カテーテル等の医療器具への使用が認可されたシリコンを意味する。
【００２３】排尿ユニット７は、装着用パンツ本体２の陰茎部３のシリコン内部を挿通して設けられた排尿路１１と、排尿路１１の一端に接続して設けられた尿受け１０と、排尿用排出口９と、を有している。
【００２４】排尿路１１は、患者の尿を流すための流路であって、本実施例では合成樹脂等からなるチューブを陰茎部３のシリコン内部に埋め込んで排尿路１１を構成している。この排尿路１１は。図２に示すように、陰茎部３の先端から患者の尿道口を覆うことのできる尿受け１０へ挿通して設けられ、装着用パンツ本体２内の陰茎部根元側には流入口である尿受け１０から流れ込んだ尿が排尿路１１を通って排尿用排出口９から排出される。また、尿受け１０は排尿路１１を通り排尿用排出口９へ向かって、その径が徐々に小さくなるように連通するように形成される。これにより、排尿路１１を流れる尿は、その先端側の端部から勢いよく排出されるため、床面等を汚さずに立位での排尿を行うことができる。尚、本実施例のようにチューブを陰茎部３に埋め込んで排尿路１１を構成することに代えて、装着用パンツ本体２の成型時に空洞部分を形成することによって排尿路１１を構成することも可能である。
【００２５】排尿ユニット７は、図２及び図４で示すように、医療用シリコンからなる部材であって、その一端には、患者の陰部に当接する尿受け１０が形成され、排尿路１１を連通するようにして、その一端が装着用パンツ本体２の陰茎部３先端部へと固着されている。そして、この尿受け１０は、装着用パンツ本体２を患者が着用した時に、その尿受け１０が患者の陰部すなわち尿道口周辺部分に対して下方から当てがわれる。これにより、患者の尿道口から排出された尿はこの尿受け１０によって回収され、排尿路１１へ流れ込むようになっている。尚、本実施例では、尿受け９の形状が、性同一性障害当事者の患者に合わせたものとしているが、前記当事者でなくとも患者の尿道口の位置に応じて、尿受け１０の形状は適宜設計変更が可能である。また、図２及び図４に詳細は示さないが、尿受け１０は、個々の患者の陰部形状に合致した形状を有している。すなわち、尿受け１０の作成には、アルジネート等の印象剤によって患者の陰部形状を型取った型枠を作り、この型枠を用いて医療用シリコンにて成形している。このように患者それぞれの陰部に合致する形状にすることにより、より身体にフィットし患者はより快適に排尿をすることが可能となる。
【００２６】尿漏れ吸収パッド１３は、排尿ユニット７の尿受け１０の周囲を覆うように装着するものであり、排尿の際に万が一尿が尿受け１０から漏れてしまった場合に、漏れた尿を吸収することができるため、装着用パンツ本体２内部が濡れてしまう事を防止することができる。そのため為の尿が装着前は図８に示すよう平面なものである。
また、図８の尿漏れ吸収パッド１３の構成を示す概略展開図であり、このように平らなものを尿受け周囲に巻きつけるようにし、尿漏れ吸収パッド１３の両端に設けられた固定用ボタン１９を重ね合わせるようにし、排尿ユニット７の尿受け１０周囲に固定する。図６及び図８に詳細は示さないが、尿漏れ吸収パッド１３は、ポリエステルとナイロンを合わせた吸水性、速乾性に優れた素材で形成されており、固定用ボタン１９は、金属製のスナップボタンで形成されているため。そのため、外出先で尿漏れ吸収パッド１３が尿の吸収量を超えてしまいそうになった場合でも、便所にて患者は固定用ボタン１９を外し、瞬時に尿漏れ吸収パッド１３を取り外すことができ、尚且つ洗面所等で水洗いし水分を絞り再装着することが可能なため、尿が装着用パンツ２の本体内に溢れる自体を防止し、下着や衣服が汚れるのを未然に防止することができる。
【００２７】排便用排出口２０は、図７で示すように、男性器代用器装着用パンツ１の裏面にある穴であり、患者が装着用パンツ本体２を着用した際に患者の肛門部に当たる場所に位置するものである。この排便用排出口２０があることで、患者は男性器代用器装着用パンツ１を着用したまま排便をする事が可能となり、小便、大便のどちらであっても排泄の際に男性器代用器装着用パンツを脱がずに行うことができる。
【００２８】次に、本発明の第２実施例に係る男性器代用器装着用パンツ１について説明する。第２実施例に係る男性器代用器装着用パンツ１は、排尿機能に併せて男性器陰嚢部代用器１２を患者の身体の状態により着脱がすることができることを特徴とするものである。
図４及び図５は、第２実施例に係る男性器代用器装着用パンツ１の男性器陰嚢部代用器１２の構成を示す図であって、図５は男性器陰嚢部代用器１２の構成を示す概略斜視図であって、図４は男性器代用器装着用パンツ１における男性器陰嚢部代用器１２を装着した際の陰茎部３内部の構成を示す概略縦断面図である。男性器代用器装着用パンツ１は男性器陰茎部に模した外観を有する装着用パンツ本体２と、装着用パンツ本体２に男性器陰嚢部に模した外観も有したい場合に、陰茎部に加えて陰嚢部も装着することのできる陰嚢部挿通口８と、を備えるものである。
【００２９】男性器代用器装着用パンツ１は、第１実施例の装着用パンツ２と同じ構成及び作用効果を有するものであるため、図３乃至５では第１実施例と同じ符号を付し、ここでは説明を省略する。
【００３０】男性器陰嚢部代用器１２は、剣先バンド１４と親バンド１５を腕時計のバンドを手首に装着する際と同要領で、排尿ユニット７の尿受け１０周囲に巻きつけるように巻いて装着する。手順としては、初めに剣先バンド１４を親バンドの美錠１７に挿通し、次に小穴１６の何れかの穴につく棒１８を通し、次に定革２１と遊ぶ革２２を連通し固定する。固定された男性器陰嚢部代用器１２は図３に示す陰嚢部挿通口８を挿通させ、男性器代用器装着用パンツ１の外部へと、該陰嚢部をより自然に垂れ下げるように装着することができる。また、バンド部固定用の小穴３の位置をが調整出来るよう３つ設けられているので、男性器陰嚢部代用器１２を男性器代用器装着用パンツ１へ固定した際の陰嚢部の垂れ下がりの高低度の調整をすることも可能となっているので、外気の温度等に合わせ従来の男性器のように陰嚢部の垂れ具合を対応させることができるため、どのような温度下で着用しようとも本来の男性器に非常に近い外観が得られるという利点がある。
【産業上の利用可能性】本発明は、先天的な疾患、或いは後天的に男性器を有さない患者が、男性器代用物として装着する男性器代用器に適用可能である。
【符号の説明】
【００３１】１    男性器代用器装着用パンツ
２    装着用パンツ本体
３    陰茎部
７    排尿ユニット
８    陰嚢部代用器挿通口
９    排尿用排出口
１０  尿受け
１１  排尿路
１２  男性器陰嚢部代用器
１３  尿漏れ吸収パッド
２０  排便用排出口
【図１】
2017094019.tif 000003
【図２】
2017094019.tif 000004
【図３】
2017094019.tif 000005
【図４】
2017094019.tif 000006
【図５】
2017094019.tif 000007
【図６】
2017094019.tif 000008
【図７】
2017094019.tif 000009
【図８】
2017094019.tif 000010